(57)【要約】【課題】シートを支持する支持面の傾斜角度を小さくすることができる、画像読取装置を提供する。【解決手段】第１カバー３は、カバー位置とトレイ位置との間で変位可能に設けられている。カバー位置に位置する第１カバー３の下方には、第１カバー３から第２カバー４に向けて延びるアーム１０１，１０２が設けられている。また、第２カバー４の下面には、アーム１０１，１０２の先端部に設けられるボス１１４，１２４を受ける受け部１６４，１６５が設けられている。第１カバー３がカバー位置からトレイ位置に変位されると、ボス１１４，１２４が第２カバー４から離れる方向に移動し、第２カバー４の左端部が下降する。第１カバー３がトレイ位置からカバー位置に変位されると、ボス１１４，１２４が第２カバー４に近づく方向に移動し、受け部１６４，１６５に受けられたボス１１４，１２４が第２カバー４の左端部を上昇させる。【選択図】図１３
2015070431.tif 000002
【特許請求の範囲】
【請求項１】
シートを搬送する搬送部と、
閉位置と開位置との間で変位可能であり、前記閉位置において、平坦な装置上面を有する上面カバーの一部を構成し、前記開位置において、前記搬送部により搬送されるシートを支持する支持面として機能する第１カバーと、
前記閉位置に位置する前記第１カバーに隣接し、前記第１カバーとともに前記上面カバーの一部を構成する第２カバーと、
前記閉位置に位置する前記第１カバーの下方に設けられ、前記第１カバーから前記第２カバーに向けて延びるアームと、前記第２カバーにおける前記装置上面をなす面と反対側の下面に形成され、前記アームの先端部に設けられるボスを受ける受け部を含む連動機構とを備え、
前記連動機構は、前記第１カバーが前記閉位置から前記開位置に変位されるときに、前記ボスが前記第２カバーから離れる方向に移動することにより、前記第２カバーの前記第１カバー側の端部を下降させ、前記第１カバーが前記開位置から前記閉位置に変位されるときに、前記ボスが前記第２カバーに近づく方向に移動し、前記受け部に受けられた前記ボスが前記第２カバーを前記上面カバーを構成する位置に上昇させるように構成されている、画像読取装置。
【請求項２】
請求項１に記載の画像読取装置であって、
前記受け部は、前記第１カバーが前記閉位置から前記開位置に変位されるときに、前記ボスに押し下げられる押下部を備える、画像読取装置。
【請求項３】
請求項１または２に記載の画像読取装置であって、
前記搬送部によるシートの搬送方向に延びる側壁を備え、
前記第１カバーは、前記搬送方向と直交する幅方向に突出する軸を備え、前記軸を支点に前記閉位置と前記開位置とに変位し、
前記側壁には、前記軸を支持する長穴が形成されている、画像読取装置。
【請求項４】
請求項３に記載の画像読取装置であって、
前記受け部は、
前記第１カバーが前記閉位置に位置する状態において、前記ボスに前記第１カバー側と反対側から当接する壁部と、
前記壁部に対して前記閉位置に位置する前記第１カバー側に間隔を空けて配置され、前記第１カバーが前記開位置から前記閉位置に変位されるときに、前記ボスに接触して、前記ボスを前記壁部に当接する方向に引き込む引込部と
を備える、画像読取装置。
【請求項５】
請求項４に記載の画像読取装置であって、
前記壁部は、前記第１カバーが前記閉位置から前記開位置に変位されるときに、前記ボスを押圧し、前記アームを前記第２カバーから離れる方向に移動させるように構成されている、画像読取装置。
【請求項６】
請求項４または５に記載の画像読取装置であって、
前記引込部は、前記第２カバーの前記下面から突出し、前記壁部側に向かうにつれ前記下面に近づくように傾斜する第１傾斜面および前記壁部と反対側に向かうにつれ前記下面に近づくように傾斜する第２傾斜面を有している、画像読取装置。
【請求項７】
請求項４〜６のいずれか一項に記載の画像読取装置であって、
前記ボスは、前記第１カバーが前記閉位置から前記開位置に変位される途中で、前記引込部から離間する、画像読取装置。
【請求項８】
請求項４〜７のいずれか一項に記載の画像読取装置であって、
前記アームには、前記第１カバーが前記閉位置から前記開位置に変位されるときに下降する前記第２カバーの端部が入り込む凹みが形成されている、画像読取装置。
【請求項９】
請求項８に記載の画像読取装置であって、
前記アームは、前記第１カバーにおける前記第２カバー側の端部から前記第２カバーに向けて延設され、
前記凹みは、前記軸と前記壁部との間に位置する、画像読取装置。
【請求項１０】
請求項１〜３のいずれか一項に記載の画像読取装置であって、
前記アームには、前記第１カバーが前記閉位置から前記開位置に変位されるときに下降する前記第２カバーの端部が入り込む凹みが形成されている、画像読取装置。
【請求項１１】
請求項１〜１０のいずれか一項に記載の画像読取装置であって、
前記第２カバーの前記下面には、前記搬送部によるシートの搬送方向と直交する幅方向において、前記第２カバーの端縁よりも内側の位置に、前記第２カバーの揺動の支点となる揺動軸が設けられている、画像読取装置。
【請求項１２】
請求項１〜１１のいずれか一項に記載の画像読取装置であって、
前記第２カバーは、前記第１カバーが前記閉位置に位置する状態において、前記第１カバー側の端部から前記第１カバー側に延出し、前記第１カバーを下側から支持する延出部を備える、画像読取装置。
【請求項１３】
請求項１〜１２のいずれか一項に記載の画像読取装置であって、
前記第２カバーの下側に間隔を空けて配置され、前記搬送部の少なくとも一部を保持するベース部を備え、
前記ベース部は、前記第２カバーの端部が下降したときに、前記第２カバーと当接する当接部を備える、画像読取装置。
【請求項１４】
請求項１〜１３のいずれか一項に記載の画像読取装置であって、
前記アームは、前記搬送部によるシートの搬送方向と直交する幅方向における前記第１カバーの両端部の一方または両方から延設され、
前記受け部は、前記アームに対応して、前記幅方向における前記第２カバーの前記下面の両端部の一方または両方に設けられている、画像読取装置。
【発明の詳細な説明】
【技術分野】
【０００１】
本発明は、画像読取装置に関する。
【背景技術】
【０００２】
たとえば、特許文献１には、原稿を搬送しつつ、原稿の画像を読み取るＡＤＦ（Auto
Document Feeder）方式の画像読取装置が開示されている。
【０００３】
この画像読取装置には、原稿を支持するためのトレイが備えられている。トレイは、装置上面に対して展開して傾斜する状態と、装置上面の一部を形成するように倒伏する状態とに開閉可能に設けられている。原稿の画像の読み取りの際には、トレイが開かれて、原稿がトレイに支持される。
【先行技術文献】
【特許文献】
【０００４】
【特許文献１】特開２０１２−１２６５３０号公報
【発明の概要】
【発明が解決しようとする課題】
【０００５】
かかる構成では、トレイが開かれた状態で、トレイの傾斜角度が大きいと、原稿がトレイ上を円滑に搬送されないおそれがある。そのため、トレイの傾斜角度を小さくする必要がある。しかしながら、装置上面には、トレイが開かれる側に上面カバーが存在するので、トレイの傾斜角度を小さくするには、トレイと上面カバーとの干渉を避けるための工夫を要する。
【０００６】
本発明の目的は、シートを支持する支持面の傾斜角度を小さくすることができる、画像読取装置を提供することである。
【課題を解決するための手段】
【０００７】
前記の目的を達成するため、本発明に係る画像読取装置は、シートを搬送する搬送部と、閉位置と開位置との間で変位可能であり、閉位置において、平坦な装置上面を有する上面カバーの一部を構成し、開位置において、搬送部により搬送されるシートを支持する支持面として機能する第１カバーと、閉位置に位置する第１カバーに隣接し、第１カバーとともに上面カバーの一部を構成する第２カバーと、閉位置に位置する第１カバーの下方に設けられ、第１カバーから第２カバーに向けて延びるアームと、第２カバーにおける装置上面をなす面と反対側の下面に形成され、アームの先端部に設けられるボスを受ける受け部を含む連動機構とを備え、連動機構は、第１カバーが閉位置から開位置に変位されるときに、ボスが第２カバーから離れる方向に移動することにより、第２カバーの第１カバー側の端部を下降させ、第１カバーが開位置から閉位置に変位されるときに、ボスが第２カバーに近づく方向に移動し、受け部に受けられたボスが第２カバーを上面カバーを構成する位置に上昇させるように構成されている。
【０００８】
この構成によれば、第１カバーは、閉位置と開位置との間で変位可能に設けられ、閉位置において、上面カバーの一部を構成する。そのため、シートが搬送されないときには、第１カバーを閉位置に位置させて、第１カバーにより、装置内に埃などが侵入することを抑制できる。
【０００９】
第２カバーは、閉位置に位置する第１カバーに隣接して設けられている。第１カバーが閉位置に位置する状態において、第２カバーは、第１カバーとともに、上面カバーの一部を構成する。
【００１０】
閉位置に位置する第１カバーの下方には、第１カバーから第２カバーに向けて延びるアームが設けられている。また、第２カバーの下面には、アームの先端部に設けられるボスを受ける受け部が設けられている。
【００１１】
第１カバーが閉位置から開位置に変位されると、ボスが第２カバーから離れる方向に移動し、これに伴って、第２カバーの第１カバー側の端部が下降する。第２カバーの第１カバー側の端部が下降することで、開位置に変位しようとする第１カバーと第２カバーとの干渉を避けることができ、開位置における第１カバーの傾斜角度を小さくすることができる。その結果、第１カバーの支持面上でのシートの搬送を円滑に行うことができる。
【００１２】
一方、第１カバーが開位置から閉位置に変位されると、ボスが第２カバーに近づく方向に移動し、受け部に受けられたボスが第２カバーの第１カバー側の端部を上昇させ、第２カバーが上面カバーの一部を構成する位置に戻る。第１カバーおよび第２カバーが上面カバーの一部を構成する状態では、平坦な装置上面が形成されるので、外観が優れている。
【００１３】
受け部は、第１カバーが閉位置から開位置に変位されるときに、ボスに押し下げられる押下部を備えることが好ましい。
【００１４】
これにより、第１カバーが閉位置から開位置に変位されるときに、第２カバーに作用する重力にかかわらず、第２カバーの第１カバー側の端部を確実に下降させることができる。その結果、第１カバーが閉位置から開位置に変位されるときに、第１カバーが第２カバーに接触することを抑制できる。
【００１５】
画像読取装置は、搬送部によるシートの搬送方向に延びる側壁を備え、第１カバーは、搬送方向と直交する幅方向に突出する軸を備え、軸を支点に閉位置と開位置とに変位し、側壁には、軸を支持する長穴が形成されていてもよい。
【００１６】
第１カバーの軸が長穴に支持されていることにより、第１カバーが閉位置から開位置に変位されるときに、第１カバーを第２カバーから離れる方向に逃がすことができる。そのため、第１カバーが閉位置から開位置に変位されるときに、第１カバーが第２カバーに接触することを抑制できる。また、第１カバーが開位置から閉位置に変位されるときには、第１カバーを第２カバーに近づけることができる。その結果、第１カバーが閉位置に位置する状態において、第１カバーと第２カバーとの間に生じる隙間を小さくすることができ、外観の意匠性を一層向上させることができる。
【００１７】
受け部は、第１カバーが閉位置に位置する状態において、ボスに第１カバー側と反対側から当接する壁部と、壁部に対して閉位置に位置する第１カバー側に間隔を空けて配置され、第１カバーが開位置から閉位置に変位されるときに、ボスに接触して、ボスを壁部に当接する方向に引き込む引込部とを備えていることが好ましい。
【００１８】
この場合、第１カバーが開位置から閉位置に変位されるときに、引込部がボスを壁部側に引き込むことにより、第１カバーを第２カバーに良好に近づけることができる。そのため、第１カバーと第２カバーとをスムーズに連動させることができる。
【００１９】
壁部は、第１カバーが閉位置から開位置に変位されるときに、ボスを押圧し、アームを第２カバーから離れる方向に移動させるように構成されていることが好ましい。
【００２０】
この場合、第１カバーが閉位置から開位置に変位されるときに、壁部がボスを押圧することにより、第１カバーを第２カバーから離れる方向に移動させることができる。そのため、第１カバーと第２カバーとの干渉を避けつつ、第１カバーと第２カバーとをスムーズに連動させることができる。
【００２１】
引込部は、第２カバーの下面から突出し、壁部側に向かうにつれ下面に近づくように傾斜する第１傾斜面および壁部と反対側に向かうにつれ下面に近づくように傾斜する第２傾斜面を有していてもよい。
【００２２】
この場合、簡素な構成により、引込部の機能を実現することができる。すなわち、簡素な構成により、第１カバーを第２カバーに良好に近づけることができ、第１カバーと第２カバーとをスムーズに連動させることができる。
【００２３】
ボスは、第１カバーが閉位置から開位置に変位される途中で、引込部から離間してもよい。
【００２４】
ボスが引込部から離間することにより、第１カバーと第２カバーとの連動が解除される。そのため、第１カバーと第２カバーとが常に連動する構成と比較して、連動機構を小型化および簡素化することができる。
【００２５】
アームには、第１カバーが閉位置から開位置に変位されるときに下降する第２カバーの端部が入り込む凹みが形成されていてもよい。
【００２６】
これにより、アームが第２カバーの下降の妨げになることを抑制できる。
【００２７】
アームが第１カバーにおける第２カバー側の端部から第２カバーに向けて延設されている場合、凹みは、軸と壁部との間に位置していることが好ましい。
【００２８】
これにより、軸と壁部との間の限られたスペースを利用して、第２カバーの第１カバー側の端部を下降させることができる。
【００２９】
第２カバーの下面には、搬送部によるシートの搬送方向と直交する幅方向において、第２カバーの端縁よりも内側の位置に、第２カバーの揺動の支点となる揺動軸が設けられていてもよい。
【００３０】
第２カバーは、第１カバーが閉位置に位置する状態において、第１カバー側の端部から第１カバー側に延出し、第１カバーを下側から支持する延出部を備えていてもよい。
【００３１】
この構成によれば、第１カバーが上方から押圧された場合に、第１カバーが延出部に下側から支持されるので、第１カバーの変形などを抑制することができる。
【００３２】
第２カバーの下側に間隔を空けて配置され、搬送部の少なくとも一部を保持するベース部を備え、ベース部は、第２カバーの端部が下降したときに、第２カバーと当接する当接部を備えていてもよい。
【００３３】
この場合、画像読取装置の組立ての際に、第２カバーが当接部に支持された状態で、第１カバーなどの他の部材を組み付けることができる。そのため、画像読取装置の組立てに要する手間を軽減することができる。
【００３４】
アームは、搬送部によるシートの搬送方向と直交する幅方向における第１カバーの両端部の一方または両方から延設され、受け部は、アームに対応して、幅方向における第２カバーの下面の両端部の一方または両方に設けられていてもよい。
【００３５】
アームおよび受け部が幅方向の両端部に設けられている場合には、第１カバーおよび第２カバーを安定して連動させることができる。
【発明の効果】
【００３６】
本発明によれば、第１カバーが閉位置から開位置に変位されるときに、第２カバーの第１カバー側の端部が下降する。そのため、第１カバーと第２カバーとの干渉を避けて、開位置における第１カバーの傾斜角度を小さくすることができる。その結果、第１カバーの支持面上でのシートの搬送を円滑に行うことができる。
【図面の簡単な説明】
【００３７】
【図１】本発明の一実施形態に係る画像読取装置の斜視図であり、第１カバーがカバー位置に位置する状態を示す。
【図２】画像読取装置の斜視図であり、第１カバーがトレイ位置に位置する状態を示す。
【図３】画像読取装置の中央断面図である。
【図４】給紙積載部および排紙積載部の右端部近傍を示す断面図である。
【図５】筐体の斜視図である。
【図６】第１カバーの斜視図であり、排紙積載面側の構成を示す。
【図７】第１カバーの斜視図であり、給紙支持部が取り外された状態の排紙積載面側を示す。
【図８】第１カバーの排紙積載面側の一部を示す斜視図である。
【図９】給紙積載部の斜視図である。
【図１０】給紙積載部の斜視図であり、排紙ガイド部側の構成を示す。
【図１１】第２カバーの斜視図であり、下面側の構成を示す。
【図１２】画像読取装置の右端部の断面図であり、第１カバーがトレイ位置に位置し、第２カバーが下位置に位置する状態を示す。
【図１３】画像読取装置の右端部の断面図であり、第１カバーがカバー位置に位置し、第２カバーが上位置に位置する状態を示す。
【図１４Ａ】画像読取装置の右端部の断面図であり、第１カバーがカバー位置に位置し、第２カバーが上位置に位置する状態での軸およびボスの位置を示す。
【図１４Ｂ】画像読取装置の右端部の断面図であり、第１カバーが図１４Ａに示される状態よりもトレイ位置側に位置する状態での軸およびボスの位置を示す。
【図１４Ｃ】画像読取装置の右端部の断面図であり、第１カバーが図１４Ｂに示される状態よりもトレイ位置側に位置する状態での軸およびボスの位置を示す。
【図１４Ｄ】画像読取装置の右端部の断面図であり、第１カバーが図１４Ｃに示される状態よりもトレイ位置側に位置する状態での軸およびボスの位置を示す。
【図１４Ｅ】画像読取装置の右端部の断面図であり、第１カバーが図１４Ｄに示される状態よりもトレイ位置側に位置する状態での軸およびボスの位置を示す。
【図１４Ｆ】画像読取装置の右端部の断面図であり、第１カバーが図１４Ｅに示される状態よりもトレイ位置側に位置する状態での軸およびボスの位置を示す。
【図１４Ｇ】画像読取装置の右端部の断面図であり、第１カバーが図１４Ｆに示される状態よりもトレイ位置側に位置する状態での軸およびボスの位置を示す。
【図１４Ｈ】画像読取装置の右端部の断面図であり、第１カバーが図１４Ｇに示される状態よりもトレイ位置側に位置する状態での軸およびボスの位置を示す。
【図１４Ｉ】画像読取装置の右端部の断面図であり、第１カバーが図１４Ｈに示される状態よりもトレイ位置側に位置する状態での軸およびボスの位置を示す。
【図１４Ｊ】画像読取装置の右端部の断面図であり、第１カバーがトレイ位置に位置し、第２カバーが下位置に位置する状態での軸およびボスの位置を示す。
【発明を実施するための形態】
【００３８】
以下では、本発明の実施の形態について、添付図面を参照しつつ詳細に説明する。
【００３９】
＜全体構成＞
【００４０】
図１、図２および図３に示されるように、画像読取装置１は、筐体２、第１カバー３および第２カバー４を備える。第１カバー３および第２カバー４は、筐体２に支持されて、互いに隣接している。
【００４１】
なお、第１カバー３および第２カバー４が設けられている側を上側とし、第１カバー３に対して第２カバー４が設けられている側を右側として、上下、左右および前後の各方向を規定する。そして、図１以降の各図では、矢印で方向を表示する。
【００４２】
第１カバー３は、筐体２の左右方向の中央に対して右側に偏った位置に配置されている。第１カバー３は、図１に示されるカバー位置と図２に示されるトレイ位置との間で変位可能に設けられている。第１カバー３は、図１に示されるように、カバー位置において、筐体２の上端に沿って延び、筐体２の上面を覆う上面カバーの一部を構成する。第１カバー３がカバー位置に位置する状態において、第１カバー３の上面５は、第１カバー３の右側に配置された固定カバー６の上面７と同一平面内に含まれ、その上面７とともに、画像読取装置１の平坦な装置上面８の一部を形成する。また、第１カバー３は、図２に示されるように、トレイ位置において、筐体２から右上がりに傾斜して延出する。
【００４３】
第２カバー４は、図１に示される上位置と図２に示される下位置とに変位可能に設けられている。第２カバー４は、図１に示されるように、上位置において、筐体２の上端に沿って延び、筐体２の上面を覆う上面カバーの一部を構成する。第１カバー３がカバー位置に位置し、第２カバー４が上位置に位置する状態において、第２カバー４の上面９は、第１カバー３の上面５および固定カバー６の上面７と同一平面内に含まれ、平坦な装置上面８の一部を形成する。また、第２カバー４は、図２に示されるように、下位置において、筐体２の上部から左下がりに傾斜し、トレイ位置に位置する第１カバー３の下端側と略平行な位置関係となる。
【００４４】
筐体２内には、図３に示されるように、給紙積載部１１および排紙積載部１２が設けられている。給紙積載部１１および排紙積載部１２は、カバー位置に位置する第１カバー３の下方において、上下２段に構成されている。
【００４５】
給紙積載部１１は、図２に示されるように、第１カバー３がカバー位置からトレイ位置に変位されることにより露出する給紙積載面１３を有している。給紙積載面１３には、平面部１４および傾斜部１５が含まれる。平面部１４は、装置上面８よりも凹んだ面として、筐体２の上端よりも低い位置において、前後方向および左右方向に延びる略平面に形成されている。傾斜部１５は、平面部１４から右上がりに傾斜して延びている。傾斜部１５の前後方向の中央部には、切欠１６が形成されている。傾斜部１５は、切欠１６により、前傾斜部１７および後傾斜部１８に分割されている。前傾斜部１７と後傾斜部１８とは、前後方向に同じ幅を有している。前傾斜部１７および後傾斜部１８の右端部は、図４に示されるように、傾斜角度が小さくなるように湾曲している。図４では、後傾斜部１８のみを示すが、前傾斜部１７も同様の形状である。
【００４６】
給紙積載部１１には、図２に示されるように、給紙積載面１３の左側に、１対の給紙ガイド１９，２０が前後方向に互いに間隔を空けて設けられている。１対の給紙ガイド１９，２０は、それらの間の中央を基準として、互いに同じ移動量で近接および離間可能に構成されている。
【００４７】
排紙積載部１２は、図３に示されるように、給紙積載部１１の下方に位置している。排紙積載部１２は、排紙積載面２１を有している。排紙積載面２１は、給紙積載部１１の下方に間隔を空けて、前後方向および左右方向に延びている。排紙積載面２１の右端部２２は、給紙積載面１３の傾斜部１５と略平行をなすように右上がりに傾斜している。
【００４８】
第１カバー３は、上面５と反対側に、支持面の一例としての排紙支持面３１を有している。図２に示されるように、第１カバー３がトレイ位置に位置する状態において、排紙支持面３１の左前端部および右前端部となる位置には、それぞれ排紙ガイド部３２，３３が設けられている。排紙ガイド部３２，３３は、排紙支持面３１と一体に形成されることにより、排紙支持面３１に固定的に配置されている。排紙ガイド部３２，３３は、排紙支持面３１から起立し、左右方向に延びている。
【００４９】
排紙ガイド部３２，３３により、それぞれ給紙支持部３４，３５が支持されている。給紙支持部３４，３５は、第１カバー３と異なる色に着色されている。給紙支持部３４，３５は、前後方向に前傾斜部１７および後傾斜部１８と同じ幅を有する板状に形成されている。前側の給紙支持部３４は、排紙ガイド部３２の上端に支持され、後側に向けて、排紙支持面３１と略平行をなして延びている。後側の給紙支持部３４は、排紙ガイド部３３の上端に支持され、前側に向けて、排紙支持面３１と略平行をなして延びている。
【００５０】
第１カバー３がトレイ位置に位置する状態において、給紙支持部３４，３５は、それぞれ前傾斜部１７および後傾斜部１８の右側に位置する。そして、給紙支持部３４，３５は、それぞれ前傾斜部１７および後傾斜部１８と略同一方向に傾斜する。給紙支持部３５の左端部は、図４に示されるように、後傾斜部１８の右端部よりも高い位置に配置される。同様に、給紙支持部３４の左端部は、前傾斜部１７の右端部よりも高い位置に配置される。また、第１カバー３がトレイ位置に位置する状態において、排紙支持面３１の左端部は、排紙積載面２１の右端部よりも低い位置に配置される。
【００５１】
筐体２内には、図３に示されるように、給紙積載部１１および排紙積載部１２の左側に、シートＳが搬送される搬送部の一部を構成する搬送経路４１が空間として設けられている。搬送経路４１は、相対的に上側に位置する上経路４２と、相対的に下側に位置する下経路４３と、上経路４２および下経路４３の左側に設けられ、上経路４２と下経路４３とを接続する湾曲経路４４とを含む。なお、搬送経路４１は、原稿を搬送するための後述する各種ローラや、そのローラ間に位置するガイド面によって規定される。
【００５２】
搬送経路４１に沿って、１対の供給ローラ５１、分離ローラ５２、分離片５３、１対の搬送ローラ５４、イメージセンサモジュール５５、反転ローラ５６、従動ローラ５７，５８および１対の排出ローラ５９が設けられている。
【００５３】
１対の供給ローラ５１は、上経路４２の入口に配置されている。上経路４２の入口は、給紙積載部１１の左側に形成されている。一方の供給ローラ５１は、相対的に上側に位置し、前後方向に延びる回動軸線まわりに回動可能に設けられている。他方の供給ローラ５１は、相対的に下側に位置し、前後方向に延びる回動軸線まわりに回動可能に設けられている。上側の供給ローラ５１の周面と下側の供給ローラ５１の周面とは、互いに当接しており、その当接する部分が、上経路４２の一部を規定している。
【００５４】
分離ローラ５２は、上側の供給ローラ５１の左側に配置され、前後方向に延びる回動軸線まわりに回動可能に設けられている。
【００５５】
分離片５３は、分離ローラ５２の下側に配置されている。分離片５３は、分離ローラ５２の周面に下側から当接しており、その当接する部分が、上経路４２の一部を規定している。
【００５６】
１対の搬送ローラ５４は、分離ローラ５２の左側に配置されている。一方の搬送ローラ５４は、相対的に上側に位置し、前後方向に延びる回動軸線まわりに回動可能に設けられている。他方の搬送ローラ５４は、相対的に下側に位置し、前後方向に延びる回動軸線まわりに回動可能に設けられている。上側の搬送ローラ５４の周面と下側の搬送ローラ５４の周面とは、互いに当接しており、その当接する部分が、上経路４２の一部を規定している。
【００５７】
イメージセンサモジュール５５は、下側の搬送ローラ５４の左側に配置されている。イメージセンサモジュール５５の内部には、たとえば、光源、レンズおよびイメージセンサなどが設けられている。イメージセンサモジュール５５の上面には、コンタクトガラス６０が設けられている。コンタクトガラス６０の上面と、そのコンタクトガラス６０の上面と対向するガイド面とが、上経路４２の一部を規定している。
【００５８】
反転ローラ５６は、イメージセンサモジュール５５の左側に配置されている。反転ローラ５６は、前後方向に延びる回動軸線まわりに回動可能に設けられている。反転ローラ５６の左側の周面と、その周面と所定の隙間を有して対向する湾曲形状のガイド面とが、湾曲経路４４の一部を規定している。
【００５９】
従動ローラ５７は、反転ローラ５６の上側に配置されている。従動ローラ５７は、前後方向に延びる回動軸線まわりに回動可能に設けられている。従動ローラ５７の周面の一部は、反転ローラ５６の周面に当接しており、その当接する部分が、湾曲経路４４の一部を規定している。
【００６０】
従動ローラ５８は、反転ローラ５６の左下側に配置されている。従動ローラ５８は、前後方向に延びる回動軸線まわりに回動可能に設けられている。従動ローラ５８の周面の一部は、反転ローラ５６の周面に当接しており、その当接する部分が、湾曲経路４４の一部を規定している。
【００６１】
１対の排出ローラ５９は、下経路４３の出口に配置されている。下経路４３の出口は、排紙積載部１２の左側であって、排紙積載面２１の左端部の上側に間隔を空けた位置に形成されている。一方の排出ローラ５９は、相対的に上側に位置し、前後方向に延びる回動軸線まわりに回動可能に設けられている。他方の排出ローラ５９は、相対的に下側に位置し、前後方向に延びる回動軸線まわりに回動可能に設けられている。上側の排出ローラ５９の周面と下側の排出ローラ５９の周面とは、互いに当接しており、その当接する部分が、下経路４３の一部を規定している。
【００６２】
＜画像読取動作＞
【００６３】
１対の給紙ガイド１９，２０の位置は、図２に示されるように、読取対象のシートＳの左右方向の幅に合わせて調整される。シートＳは、先端部が給紙ガイド１９，２０の間に差し込まれ、給紙積載面１３および給紙支持部３４，３５上に、それらに跨がった状態で積載される。
【００６４】
シートＳの画像の読取開始が指示されると、１対の供給ローラ５１、分離ローラ５２、分離片５３、１対の搬送ローラ５４、反転ローラ５６、従動ローラ５７，５８および１対の排出ローラ５９が回転し始める。供給ローラ５１の回転により、供給ローラ５１からシートＳに搬送力が付与され、シートＳが上経路４２を分離ローラ５２に向けて搬送される。シートＳが分離ローラ５２と分離片５３との当接部位に到達すると、シートＳは、分離ローラ５２と分離片５３との間に引き込まれ、１枚ずつに分離される。これにより、１枚のシートＳが分離ローラ５２と分離片５３との間を通過する。
【００６５】
その後、シートＳが１対の搬送ローラ５４の当接部位に到達すると、搬送ローラ５４からシートＳに搬送力が付与され、シートＳが上経路４２をさらに搬送される。この搬送により、シートＳは、イメージセンサモジュール５５のコンタクトガラス６０上を通過し、反転ローラ５６と従動ローラ５７との当接部位に到達する。シートＳがコンタクトガラス６０上を通過するときに、イメージセンサモジュール５５により、シートＳの一方面の画像が読み取られる。
【００６６】
シートＳが反転ローラ５６と従動ローラ５７との当接部位に到達した後は、シートＳが湾曲経路４４を搬送される。その後、シートＳは、反転ローラ５６と従動ローラ５８との間を通過し、湾曲経路４４から下経路４３に進入する。シートＳが湾曲経路４４を搬送されることにより、シートＳの搬送方向が反転される。
【００６７】
下経路４３の入口は、筐体２の下面において下方に開放されている。筐体２は、非図示の複合機に上方から結合されている。複合機は、画像形成ユニット等を収容しており、その上面には、読取対象のシートを載置するためのコンタクトガラス３０１が配置されている。コンタクトガラス３０１の下方には、図中左右方向に移動可能なイメージセンサモジュール３０２が配置されている。イメージセンサモジュール３０２の内部には、たとえば、光源、レンズおよびイメージセンサなどが設けられている。イメージセンサモジュール３０２は、搬送されるシートＳを読み取る際には、所定の停止位置に移動する。シートＳは、湾曲経路４４から下経路４３に進入する際に、コンタクトガラス３０１上を経由する。そして、シートＳがコンタクトガラス３０１上を通過するときに、停止位置にあるイメージセンサモジュール３０２により、シートＳの他方面の画像が読み取られる。
【００６８】
シートＳの搬送が進み、シートＳが１対の排出ローラ５９の当接部位に到着すると、排出ローラ５９からシートＳに搬送力が付与されて、シートＳが下経路４３の出口から排出される。
【００６９】
排出されたシートＳは、排紙積載面２１を第１カバー３の排紙支持面３１上に向けて進行する。シートＳのサイズによっては、シートＳが排紙支持面３１上に差し掛かると、シートＳの前後方向の端縁が排紙ガイド部３２，３３に接触する。その後、排紙支持面３１上でのシートＳの進行に伴って、シートＳの前後方向の端縁が排紙ガイド部３２，３３に摺擦することにより、シートＳの向きが正されていく。シートＳが排出ローラ５９から放れると、シートＳは、排紙積載面２１および排紙支持面３１上に、それらに跨がった状態で積載される。
【００７０】
＜筐体＞
【００７１】
筐体２は、図５に示されるように、前側板７１、後側板７２、左側板７３、右側板７４および底板７５を備えている。
【００７２】
側壁の一例としての前側板７１および後側板７２は、互いに前後方向に間隔を空けて配置されている。前側板７１および後側板７２は、互いに平行をなして、左右方向に延びている。後側板７２の内面には、左右方向の中央よりも右側の位置に、長穴８１が形成されている。長穴８１は、後側板７２の内面から後側に凹み、上端が開放され、右下方に傾斜して延びている。また、後側板７２の内面には、後側板７２の上端面より低い位置に、段差面８２が形成されている。第１カバー３がカバー位置に位置する状態において、第１カバー３の下端が段差面８２に当接する。
【００７３】
なお、図示されないが、前側板７１の内面には、長穴８１と左右対称をなす長穴が形成されている。また、前側板７１の内面には、前側板７１の上端面より低い位置に、段差面が形成されている。以下の説明では、前側板７１に形成されている長穴および段差面について、それぞれ後側板７２に形成されている長穴８１および段差面８２と同一の参照符号を使用する。
【００７４】
左側板７３および右側板７４は、互いに左右方向に間隔を空けて配置されている。左側板７３および右側板７４は、互いに平行をなして、前後方向に延びている。左側板７３は、前側板７１および後側板７２の各左端部に連結されている。右側板７４は、前側板７１および後側板７２の各右端部に連結されている。
【００７５】
ベース部の一例としての底板７５は、前側板７１、後側板７２、左側板７３および右側板７４の下端間に架設されている。排紙積載面２１は、底板７５の上面に形成されている。
【００７６】
また、底板７５の上面の右端部には、１対の軸受部８４，８５が前後方向に間隔を空けて設けられている。前側の軸受部８４は、後側に凹む凹部として形成されている。後側の軸受部８５は、前側に凹む凹部として形成されている。
【００７７】
さらに、底板７５の上面には、排紙積載面２１の右側に、当接部８６およびストッパ８７が突出して形成されている。ストッパ８７は、排紙積載面２１と当接部８６との間に配置されている。
【００７８】
＜第１カバー＞
【００７９】
以下、第１カバー３についての説明では、上下、左右および前後の各方向について、第１カバー３がカバー位置（図１参照）に位置している状態を基準とする。図６、図７および図８には、筐体２から取り外されて、天地反転された状態の第１カバー３が示されている。
【００８０】
排紙ガイド部３２，３３は、排紙積載面２１の右前端部および右後端部に立設されている。排紙ガイド部３２，３３は、前後対象な構成を有しているので、前側の排紙ガイド部３２の構成を取り上げて説明し、後側の排紙ガイド部３３の構成についての説明を省略する。
【００８１】
排紙ガイド部３２は、図８に示されるように、第１壁部９１、第２壁部９２、第３壁部９３、第４壁部９４、第５壁部９５、第６壁部９６、第７壁部９７、第８壁部９８および第９壁部９９を一体的に備えている。各壁部９１〜９９は、それぞれ排紙支持面３１から起立している。
【００８２】
第１壁部９１および第２壁部９２は、前後方向に間隔を空けて配置されている。第１壁部９１および第２壁部９２は、互いに平行をなして、左右方向に延びている。第２壁部９２は、第１壁部９１よりも左側に長く延びている。第２壁部９２の第１壁部９１側の面には、左右方向の略中央部に、第１壁部９１側に突出する突起１００が形成されている。
【００８３】
第３壁部９３は、第１壁部９１および第２壁部９２の各右端部に連結されて、前後方向に延びている。
【００８４】
第４壁部９４は、第１壁部９１の左端部と第２壁部９２の途中部とに連結されて、前後方向に延びている。
【００８５】
第５壁部９５は、第１壁部９１および第２壁部９２の各左端部間に連結されて、前左側に膨出するように湾曲している。
【００８６】
第６壁部９６は、第３壁部９３の左側に間隔を空けて配置されている。第６壁部９６は、第３壁部９３と平行をなして、前後方向に延びている。第６壁部９６の後端は、第２壁部９２に接続されている。第６壁部９６の前端と第１壁部９１との間には、隙間が設けられている。
【００８７】
第７壁部９７は、第３壁部９３と第６壁部９６との間に配置されている。第７壁部９７は、第２壁部９２と間隔を空けて、第２壁部９２と平行をなして、左右方向に延びている。第７壁部９７の右端は、第３壁部９３に接続されている。第７壁部９７の左端と第６壁部９６との間には、隙間が設けられている。
【００８８】
第８壁部９８は、第４壁部９４の右側に間隔を空けて配置されている。第８壁部９８は、第４壁部９４と平行をなして、前後方向に延びている。第８壁部９８の後端は、第２壁部９２に接続されている。第８壁部９８の前端と第１壁部９１との間には、隙間が設けられている。
【００８９】
第９壁部９９は、第４壁部９４と第８壁部９８との間に配置されている。第９壁部９９は、第２壁部９２と間隔を空けて、第２壁部９２と平行をなして、左右方向に延びている。第９壁部９９の左端は、第４壁部９４に接続されている。第９壁部９９の左端と第８壁部９８との間には、隙間が設けられている。
【００９０】
第１カバー３の右前端部および右後端部には、図６および図７に示されるように、それぞれアーム１０１，１０２が設けられている。
【００９１】
前側のアーム１０１は、起立部１１１、延部１１２、先端部１１３およびボス１１４を一体的に有している。起立部１１１は、排紙支持面３１から起立している。延部１１２は、起立部１１１の上端から右側に延びている。先端部１１３は、延部１１２の右端から上方に延びている。ボス１１４は、先端部１１３から後側に突出している。この形状により、アーム１０１には、起立部１１１と先端部１１３との間に、凹み１１５が形成されている。
【００９２】
後側のアーム１０２は、前側のアーム１０１と前後対象な構成を有している。具体的には、起立部１２１、延部１２２、先端部１２３およびボス１２４を一体的に有している。起立部１２１は、排紙支持面３１から起立している。延部１２２は、起立部１２１の上端から右側に延びている。先端部１２３は、延部１２２の右端から上方に延びている。ボス１２４は、先端部１２３から前側に突出している。この形状により、アーム１０２には、起立部１２１と先端部１２３との間に、凹み１２５が形成されている。
【００９３】
また、第１カバー３は、２個の軸１３１，１３２を備えている。軸１３１，１３２は、前後方向に延びる同一の直線上に配置されている。軸１３１は、第１カバー３の前面の右端部から前側に突出している。軸１３２は、第１カバー３の背面の右端部から後側に突出している。
【００９４】
さらに、第１カバー３には、２個の係止突起１４１，１４２が設けられている。係止突起１４１，１４２は、それぞれ排紙支持面３１の左前端部および左後端部に立設されている。係止突起１４１，１４２は、左右方向において同じ位置に配置されている。前側の係止突起１４１の先端部には、後側に膨出する膨出部１４３が形成されている。後側の係止突起１４２の先端部には、前側に膨出する膨出部１４４が形成されている。
【００９５】
＜給紙支持部＞
【００９６】
以下、給紙支持部３４，３５についての説明では、上下、左右および前後の各方向について、第１カバー３がカバー位置（図１参照）に位置している状態を基準とする。
【００９７】
給紙支持部３４，３５は、前後対象な構成を有しているので、前側の給紙支持部３４の構成を取り上げて説明し、後側の給紙支持部３５の構成についての説明を省略する。
【００９８】
給紙支持部３４は、図９および図１０に示されるように、給紙されるシートＳ（図２参照）が載置される面と反対側の面１５１に、第１挿入壁部１５２、第２挿入壁部１５３、第３挿入壁部１５４および係止壁部１５５を備えている。
【００９９】
第１挿入壁部１５２は、面１５１の前端部に立設されている。第１挿入壁部１５２は、面１５１の左右方向の略全幅にわたって延びている。
【０１００】
第２挿入壁部１５３は、第１挿入壁部１５２の左端部の後側に立設されている。第２挿入壁部１５３は、第１挿入壁部１５２から後側に延び、屈曲して、左側に延びている。
【０１０１】
第３挿入壁部１５４は、第１挿入壁部１５２の右端部の後側に立設されている。第３挿入壁部１５４は、第１挿入壁部１５２から後側に延び、屈曲して、右側に延びている。
【０１０２】
係止壁部１５５は、第２挿入壁部１５３と第３挿入壁部１５４との間に配置されている。係止壁部１５５は、第１挿入壁部１５２と前後方向に間隔を空けて、第１挿入壁部１５２と平行をなして左右方向に延びている。係止壁部１５５には、係止孔１５６が前後方向に貫通して形成されている。
【０１０３】
給紙支持部３４が排紙ガイド部３２に取り付けられる際には、第１挿入壁部１５２は、排紙ガイド部３２の第１壁部９１と第６壁部９６および第８壁部９８との間に挿入される。第２挿入壁部１５３の後側に延びる部分は、排紙ガイド部３２の第８壁部９８と第９壁部９９との間に挿入される。第２挿入壁部１５３の左側に延びる部分は、排紙ガイド部３２の第２壁部９２と第９壁部９９との間に挿入される。第３挿入壁部１５４の後側に延びる部分は、排紙ガイド部３２の第６壁部９６と第７壁部９７との間に挿入される。第３挿入壁部１５４の右側に延びる部分は、排紙ガイド部３２の第２壁部９２と第７壁部９７との間に挿入される。そして、その挿入が完了すると、係止壁部１５５の係止孔１５６に排紙ガイド部３２の突起１００が後側から嵌り込み、係止壁部１５５と突起１００とが係合する。これにより、給紙支持部３４の排紙ガイド部３２への取付けが達成される。給紙支持部３４が排紙ガイド部３２に取り付けられた状態で、給紙支持部３４の面１５１に、排紙ガイド部３２の第１壁部９１、第２壁部９２、第３壁部９３、第４壁部９４、第５壁部９５、第６壁部９６および第８壁部９８の上端が当接する。
【０１０４】
また、給紙支持部３４の面１５１には、左右方向に延びる複数本の突条部１５７が突出して形成されている。
【０１０５】
＜第２カバー＞
【０１０６】
以下、第２カバー４についての説明では、上下、左右および前後の各方向について、第１カバー３がカバー位置（図１参照）に位置している状態を基準とする。図１１には、筐体２から取り外されて、天地反転された状態の第２カバー４が示されている。
【０１０７】
第２カバー４は、上面９（図１参照）と反対側の下面１６１に、２個の揺動軸部１６２，１６３および２個の受け部１６４，１６５を備えている。
【０１０８】
揺動軸の一例としての揺動軸部１６２，１６３は、下面１６１の右端部に、前後方向に間隔を空けて配置されている。前側の揺動軸部１６２は、下面１６１から立ち上がる立ち上がり部１６６と、立ち上がり部１６６から後側に突出する軸１６７とを一体的に備えている。後側の揺動軸部１６３は、前側の揺動軸部１６２と前後対象な構成を有している。すなわち、後側の揺動軸部１６３は、下面１６１から立ち上がる立ち上がり部１６８と、立ち上がり部１６８から前側に突出する軸１６９とを一体的に有している。
【０１０９】
受け部１６４，１６５は、下面１６１の左端部に、前後方向に間隔を空けて配置されている。受け部１６４，１６５は、作用部１７１および引込部１７２を含む。
【０１１０】
作用部１７１は、下面１６１から突出している。作用部１７１は、下面１６１に対して垂直に立ち上がる壁部１７３と、壁部１７３の上端から左下側に傾斜して延びる押下部１７４とを有している。
【０１１１】
引込部１７２は、作用部１７１の左側に配置されている。引込部１７２は、下面１６１から左下側に傾斜する第１傾斜面１７５と、第１傾斜面１７５の下端から左上方に傾斜する第２傾斜面１７６とを有している。第１傾斜面１７５と作用部１７１の押下部１７４との間には、ボス１１４，１２４の直径にほぼ等しい間隔が空いている。第２傾斜面１７６は、第２カバー４の左端縁まで延びている。
【０１１２】
また、第２カバー４には、板状の延出部１７７が形成されている。延出部１７７は、第２カバー４の左端縁の中央部から左側に延出している。
【０１１３】
＜連動機構＞
【０１１４】
第１カバー３は、図１２に示されるように、軸１３１，１３２が筐体２の長穴８１に挿入されることにより、筐体２に回動可能に支持されている。
【０１１５】
また、第２カバー４は、軸１６７，１６９（図１１参照）がそれぞれ筐体２の軸受部８４，８５（図５参照）に挿入されることにより、筐体２に揺動可能に支持されている。
【０１１６】
そして、第１カバー３がカバー位置に位置し、第２カバー４が上位置に位置する状態では、図１３および図１４Ａに示されるように、第１カバー３のアーム１０２のボス１２４は、第２カバー４の後側の作用部１７１と引込部１７２との間に配置され、第２カバー４の下面１６１に当接している。非図示であるが、前側のアーム１０１のボス１１４についても、ボス１２４と同様であり、第２カバー４の前側の作用部１７１と引込部１７２との間に配置され、第２カバー４の下面１６１に当接している。軸１３１，１３２は、長穴８１の下端に位置している。第２カバー４の延出部１７７は、図１に示されるように、第１カバー３の下方に潜り込んでいる。また、給紙支持部３４，３５は、図１３に示されるように、第１カバー３と給紙積載面１３の平面部１４との間に収容されている。
【０１１７】
また、筐体２内の前端部および後端部には、左右方向の略中央の位置に、図１４Ａに二点鎖線で示されるように、前後方向に幅を有して左右方向に延びる係止部８３が設けられている。たとえば、筐体２内の前端部の左右方向の略中央の位置には、上下方向に延び、上端部が前側に屈曲して延びる形状を有する部材が設けられている。前側の係止部８３は、その部材の上端部により形成される。また、筐体２内の後端部の左右方向の略中央の位置には、上下方向に延び、上端部が後側に屈曲して延びる形状を有する部材が設けられている。後側の係止部８３は、その部材の上端部により形成される。第１カバー３がカバー位置に位置する状態では、第１カバー３の係止突起１４１の膨出部１４３および係止突起１４２の膨出部１４４がそれぞれ前側および後側の係止部８３の下側に潜り込み、膨出部１４３，１４４が係止部８３に係止している。
【０１１８】
第１カバー３がカバー位置に位置し、第２カバー４が上位置に位置する状態から、図１４Ｂに示されるように、第１カバー３がトレイ位置に向けて変位されると、ボス１１４，１２４が作用部１７１の押下部１７４を下側に押圧する。この押圧により、第２カバー４が軸１６７，１６９を支点に回動し、第２カバー４が下方に向かって左下がりに傾き、第２カバー４の左端部は、アーム１０１，１０２に形成されている凹み１１５，１２５に入り込む。凹み１１５，１２５は、前側から見て、軸１３１，１３２と壁部１７３との間に位置している。第２カバー４の回動に伴い、作用部１７１の壁部１７３がボス１１４，１２４を左側に押圧する。この押圧により、第１カバー３の軸１３１，１３２が長穴８１内を左上側に移動する。また、トレイ位置からの第１カバー３の変位に伴い、係止突起１４１，１４２が弾性変形し、膨出部１４３，１４４が係止部８３から外れる。
【０１１９】
その後、第１カバー３の回動が進むにつれ、図１４Ｃおよび図１４Ｄに示されるように、第２カバー４の傾倒が進むとともに、第１カバー３の軸１３１，１３２が長穴８１内を左上側に移動する。
【０１２０】
第１カバー３が所定角度まで回動されると、図１４Ｅに示されるように、第１カバー３が自重により下がり、軸１３１，１３２が長穴８１の下端に移動する。この後、第１カバー３がトレイ位置に変位されるまでの間、軸１３１，１３２は、長穴８１の下端に位置する。
【０１２１】
第１カバー３がさらに回動されると、図１４Ｆに示されるように、ボス１１４，１２４が作用部１７１の押下部１７４から離れる。
【０１２２】
図１４Ｇに示されるように、ボス１１４，１２４が引込部１７２の第１傾斜面１７５から離れると、第２カバー４が自重により下がる。第２カバー４が筐体２の当接部８６に当接すると、それ以上の第２カバー４の変位が規制され、第２カバー４が下位置に保持される。
【０１２３】
その後、図１４Ｈおよび図１４Ｉに示されるように、第１カバー３の回動が進み、第１カバー３がトレイ位置に達すると、図１４Ｊに示されるように、第１カバー３の右端部が筐体２のストッパ８７に下方から当接する。これにより、第１カバー３のそれ以上の変位が規制され、第１カバー３がトレイ位置に保持される。
【０１２４】
第１カバー３がトレイ位置からカバー位置に向けて図１４Ｆに示される位置まで変位されると、ボス１１４，１２４が引込部１７２の第１傾斜面１７５に当接する。このとき、第１カバー３に上向きの力が加えられて、軸１３１，１３２が長穴８１内を左上側に移動することにより、第１カバー３が第２カバー４に対して正規の位置よりも左上側に移動している場合が想定される。この場合においても、第１カバー３の回動の途中で、ボス１１４，１２４は、引込部１７２の第２傾斜面１７６に当接し、第２傾斜面１７６に沿って移動することにより、第１傾斜面１７５上へと導かれる。
【０１２５】
その後、第１カバー３の回動に伴い、第１傾斜面１７５がボス１１４，１２４を押圧することにより、ボス１１４，１２４が第１傾斜面１７５と押下部１７４との間に引き込まれる。そして、ボス１１４，１２４が壁部１７３側に移動し、第１カバー３が第２カバー４側に移動する。ボス１１４，１２４が第２カバー４の下面１６１に当接した後、第１カバー３がさらに回動されると、第２カバー４の左端部が持ち上げられていく。
【０１２６】
第１カバー３がカバー位置まで変位されると、第２カバー４が上位置に位置し、第１カバー３の上面５、固定カバー６の上面７および第２カバー４の上面９により、平坦な装置上面８が形成される。また、第１カバー３がカバー位置に到達する前に、係止突起１４１の膨出部１４３および係止突起１４２の膨出部１４４が係止部８３に当接する。そして、第１カバー３の変位に伴い、係止突起１４１，１４２が弾性変形し、第１カバー３がカバー位置まで変位されると、膨出部１４３，１４４が係止部８３に係止する。
【０１２７】
<作用効果＞
【０１２８】
以上のように、第１カバー３は、カバー位置とトレイ位置との間で変位可能に設けられ、カバー位置において、上面カバーの一部を構成する。シートＳが搬送されないときには、第１カバー３をカバー位置に位置させて、第１カバー３により、筐体２内に埃などが侵入することを抑制できる。
【０１２９】
カバー位置に位置する第１カバー３の下方には、第１カバー３から第２カバー４に向けて延びるアーム１０１，１０２が設けられている。また、第２カバー４の下面には、アーム１０１，１０２の先端部に設けられるボス１１４，１２４を受ける受け部１６４，１６５が設けられている。
【０１３０】
第１カバー３がカバー位置からトレイ位置に変位されると、ボス１１４，１２４が第２カバー４から離れる方向に移動し、これに伴って、第２カバー４の第１カバー３側（左側）の端部が下降する。第２カバー４の第１カバー３側の端部が下降することで、トレイ位置に変位しようとする第１カバー３と第２カバー４との干渉を避けることができ、トレイ位置における第１カバー３の傾斜角度を小さくすることができる。その結果、第１カバー３の排紙支持面３１上でのシートＳの搬送を円滑に行うことができる。
【０１３１】
一方、第１カバー３がトレイ位置からカバー位置に変位されると、ボス１１４，１２４が第２カバー４に近づく方向に移動し、受け部１６４，１６５に受けられたボス１１４，１２４が第２カバー４の第１カバー３側の端部を上昇させ、第２カバー４が上面カバーの一部を構成する上位置に戻る。第１カバー３および第２カバー４が上面カバーの一部を構成する状態では、平坦な装置上面８が形成されるので、外観が優れている。
【０１３２】
また、アーム１０１，１０２および受け部１６４，１６５が前後方向の両端部に設けられているので、第１カバー３および第２カバー４を安定して連動させることができる。
【０１３３】
受け部１６４，１６５は、第１カバー３がカバー位置からトレイ位置に変位されるときに、ボス１１４，１２４に押し下げられる押下部１７４を備えている。そのため、第１カバー３がカバー位置からトレイ位置に変位されるときに、第２カバー４に作用する重力にかかわらず、第２カバー４の第１カバー３側の端部を確実に下降させることができる。その結果、第１カバー３がカバー位置からトレイ位置に変位されるときに、第１カバー３が第２カバー４に接触することを抑制できる。
【０１３４】
また、第１カバー３の軸１３１，１３２が長穴８１に支持されていることにより、第１カバー３がカバー位置からトレイ位置に変位されるときに、第１カバー３を第２カバー４から離れる方向に逃がすことができる。そのため、第１カバー３がカバー位置からトレイ位置に変位されるときに、第１カバー３が第２カバー４に接触することを抑制できる。また、第１カバー３がトレイ位置からカバー位置に変位されるときには、第１カバー３を第２カバー４に近づけることができる。その結果、第１カバー３がカバー位置に位置する状態において、第１カバー３と第２カバー４との間に生じる隙間を小さくすることができ、外観の意匠性を一層向上させることができる。
【０１３５】
また、第１カバー３がトレイ位置からカバー位置に変位されるときには、引込部１７２がボス１１４，１２４を壁部１７３側に引き込む。これにより、第１カバー３を第２カバー４に良好に近づけることができる。そのため、第１カバー３と第２カバー４とをスムーズに連動させることができる。
【０１３６】
壁部１７３は、第１カバー３がカバー位置からトレイ位置に変位されるときに、ボス１１４，１２４を押圧し、アーム１０１，１０２を第２カバー４から離れる方向に移動させる。これにより、第１カバー３が第２カバー４から離れる方向に移動する。これにより、第１カバー３と第２カバー４との干渉を避けつつ、第１カバー３および第２カバー４をスムーズに連動させることができる。
【０１３７】
引込部１７２は、第２カバー４の下面から突出し、第１傾斜面１７５および第２傾斜面１７６を有している。この簡素な構成により、引込部１７２の機能を実現することができる。すなわち、簡素な構成により、第１カバー３を第２カバー４に良好に近づけることができ、第１カバー３と第２カバー４とをスムーズに連動させることができる。
【０１３８】
ボス１１４，１２４は、第１カバー３がカバー位置からトレイ位置に変位される途中で、引込部１７２から離間する。これにより、第１カバー３と第２カバー４との連動が解除される。そのため、第１カバー３と第２カバー４とが常に連動する構成と比較して、連動のための機構を小型化および簡素化することができる。
【０１３９】
アーム１０１，１０２には、それぞれ凹み１１５，１２５が形成されている。これにより、第２カバー４が左下がりに傾いたときに、第２カバー４の第１カバー３側の端部がその凹み１１５，１２５に入り込む。よって、アーム１０１，１０２が第２カバー４の下降の妨げになることを抑制できる。
【０１４０】
凹み１１５，１２５は、軸１３１，１３２と壁部１７３との間に位置している。そのため、軸１３１，１３２と壁部１７３との間の限られたスペースを利用して、第２カバー４の第１カバー３側の端部を下降させることができる。
【０１４１】
第１カバー３がカバー位置に位置する状態において、第２カバー４の延出部１７７が第１カバー３の下側に潜り込む。これにより、第１カバー３が上方から押圧された場合に、第１カバー３が延出部に下側から支持されるので、第１カバー３の変形などを抑制することができる。
【０１４２】
底板７５の上面には、当接部８６が形成されている。第２カバー４が下位置に位置する状態で、第２カバー４が筐体２の当接部８６に当接し、第２カバー４が下位置に保持される。そのため、画像読取装置１の組立ての際に、第２カバー４が下位置に保持された状態で、第１カバー３などの他の部材を組み付けることができる。そのため、画像読取装置１の組立てに要する手間を軽減することができる。
【０１４３】
＜変形例＞
【０１４４】
以上、本発明の一実施形態について説明したが、本発明は、他の形態で実施することもできる。
【０１４５】
たとえば、アーム１０１，１０２および受け部１６４，１６５が前後方向の両端部に設けられた構成を取り上げたが、１組のアームおよび受け部が前後方向の中央部に設けられてもよい。
【０１４６】
また、給紙されるシートＳが積載される給紙積載部の上側に、排紙されるシートＳが積載される排紙積載部が設けられて、シートＳが給紙積載部から排紙積載部に向けて下から上に搬送される構成の画像読取装置に、本発明を適用することもできる。
【０１４７】
その他、前述の構成には、特許請求の範囲に記載された事項の範囲で種々の設計変更を施すことが可能である。
【符号の説明】
【０１４８】
１      画像読取装置
３      第１カバー
４      第２カバー
８      装置上面
３１    排紙支持面（支持面）
４１    搬送経路（搬送部）
７１    前側板（側壁）
７２    後側板（側壁）
７５    底板（ベース部）
８１    長穴
８６    当接部
１０１  アーム
１０２  アーム
１１４  ボス
１１５  凹み
１２４  ボス
１２５  凹み
１３１  軸
１３２  軸
１６２  揺動軸部（揺動軸）
１６３  揺動軸部（揺動軸）
１６４  受け部
１６５  受け部
１７２  引込部
１７３  壁部
１７４  押下部
１７５  第１傾斜面
１７６  第２傾斜面
１７７  延出部
【図１】
2015070431.tif 000003
【図２】
2015070431.tif 000004
【図３】
2015070431.tif 000005
【図４】
2015070431.tif 000006
【図５】
2015070431.tif 000007
【図６】
2015070431.tif 000008
【図７】
2015070431.tif 000009
【図８】
2015070431.tif 000010
【図９】
2015070431.tif 000011
【図１０】
2015070431.tif 000012
【図１１】
2015070431.tif 000013
【図１２】
2015070431.tif 000014
【図１３】
2015070431.tif 000015
【図１４Ａ】
2015070431.tif 000016
【図１４Ｂ】
2015070431.tif 000017
【図１４Ｃ】
2015070431.tif 000018
【図１４Ｄ】
2015070431.tif 000019
【図１４Ｅ】
2015070431.tif 000020
【図１４Ｆ】
2015070431.tif 000021
【図１４Ｇ】
2015070431.tif 000022
【図１４Ｈ】
2015070431.tif 000023
【図１４Ｉ】
2015070431.tif 000024
【図１４Ｊ】
2015070431.tif 000025